(57)【要約】【課題】  装飾部品を備えたツルを折畳み可能に取付けているメガネフレームであって、該装飾部品の取付け構造が表面化しないようにして、ツルとの調和を図ったメガネフレームの提供。【解決手段】  ツル端３から長手方向に延びる穴１０を設け、該穴１０には細いピン４を挿入すると共に抜け落ちないようにネジ止めし、このピン４を介して装飾部品２，２・・をツル１に取付けている。【選択図】    図１
0003102242.tif 000002
【実用新案登録請求の範囲】
【請求項１】
装飾部品を備えたツルを折畳み可能に取付けているメガネフレームにおいて、ツル端から長手方向に延びる穴を設け、該穴には細いピンを挿入すると共に抜け落ちないようにネジ止めし、このピンを介して装飾部品をツルに取付けたことを特徴とする装飾部品を備えたメガネフレーム。
【請求項２】
上記装飾部品には穴を貫通して設け、この穴にピンを挿通して該装飾部品を取付けた請求項１記載の装飾部品と備えたメガネフレーム。
【請求項３】
上記装飾部品の裏側には止着部を突出すると共に穴を貫通し、該止着部をツル端部に設けた位置決め穴に嵌合した状態でピンを穴に挿通して取付けた請求項１記載の装飾部品を備えたメガネフレーム。
【請求項４】
装飾部品を備えたヨロイを取付けているメガネフレームにおいて、ヨロイ端から長手方向に延びる穴を設け、該穴には細いピンを挿入すると共に抜け落ちないようにネジ止めし、このピンを介して装飾部品をヨロイに取付けたことを特徴とする装飾部品を備えたメガネフレーム。
【考案の詳細な説明】
【技術分野】
【０００１】
本考案は外観を損なうことがないように装飾部品を取付けたメガネフレームに関するものである。
【背景技術】
【０００２】
メガネは視力が低下した人がこれを矯正の為に着用するものであるが、掛ける場所が顔であることから、色々な装飾が施されている。近年の金属製メガネフレームはチタン材など非常に軽くてバネ製に優れた材質が好まれ、長時間にわたってメガネを掛けていても疲れが少ないように工夫されている。しかし、このような材質が好まれる背景には、メガネフレームとしての単なる機能性だけでなくスリムなメガネフレームとして構成出来るといった外観的な満足度が得られる点も大きい。
【０００３】
このようにメガネフレーム自体がファッション性を備えて構成されることは勿論であるが、さらにカラーメッキしたり、印刷を施したり、片隅に宝石等の装飾部品を取付ける等の工夫が凝らされている。ところで、従来の装飾部品はメガネフレームのツルやフロント部に取着されるが、カシメにて固定したり、ロウ付けしたり、又はネジ締め等の手段が採用されている。
【０００４】
しかし、ネジ止めやカシメにて装飾部品を取付ける場合、該装飾部品はメガネフレームとは独立したものとなり、該メガネフレームに組み込まれて一体化した外観とはならない。特開２００１−２４２４２６号に係る「メガネのツルに取付ける装飾部品」もその１つであるが、装飾部品の裏側に止着具を設け、該止着具はバネ材から成って概略Ｌ型を成し、先端にはツルの縁に係止する係止部を形成している。
【０００５】
従って、該装飾部品はメガネのツルにワンタッチ方式で取付けることが出来、又簡単に取外し出来る。そして止着具先端には係止部が形成されている為に、一旦取付けした装飾部品はツルから独りでに外れることはない。このように簡単に取付け・取外しが出来る為に、外出時に身に付けるイヤリングや指輪と同じように、何時でも交換して使用出来る。
【０００６】
この装飾部品には裏側に止着具を有し、ツルに係止して取付けた際には該止着具は表面化する為に装飾部品がメガネフレームのツルと調和することなく、あくまでも別部品として取付けられていることが分かる。すなわち、取付け手段が表面化しない構造であることが好ましい。
【特許文献１】特開２００１−２４２４２６号に係る「メガネのツルに取付ける装飾部品」
【考案の開示】
【考案が解決しようとする課題】
【０００７】
このように、従来の装飾部品を取付けたメガネフレームには上記のごとき問題がある。本考案が解決しようとする課題はこの問題点であり、取付け構造が表面化することなく、装飾部品がメガネフレームと調和することが出来る装飾部品を備えたメガネフレームを提供する。
【課題を解決するための手段】
【０００８】
本考案のメガネフレームは、フロント部側のツル端部に装飾部品が取付けられる。ツル端から小さな穴を長手方向に延ばして設け、該穴にピンを挿通すると共に該ピンを介して装飾部品を取付けることが出来る。穴に挿通したピンは抜けないようにネジ止めされる。ここで、装飾部品の材質や形態は限定されず、ボールのごとき回転体とした場合では、その中心に形成した貫通穴にピンを挿通して取付けることが出来、又は装飾部品の裏側に止着部を突出し、該止着部に貫通した穴にピンを挿通して取付ける場合などがある。
【０００９】
そして、装飾部品はツル端部に限らず、ヨロイに取付けることも可能である。その取付け構造はツルの場合と同じく、ヨロイ端から延びる穴にピンを挿通し、該ピンを介して色々な装飾部品が取付けられる。
【考案の効果】
【００１０】
本考案では、ツル又はヨロイに装飾部品が取付けられるが、その取付け構造が表面化しない為に、該装飾部品はメガネフレームと一体化して調和する。すなわち、ツル端又はヨロイ端から挿入したピンに装飾部品が取付けられるが、該ピンは表面化することなく、装飾部品の取付け構造は外観的に分からない。
【００１１】
そして、ピンはネジ止めされる為に穴から抜け落ちることはなく、ピンを介して取付けられている装飾部品はメガネフレームから外れない。一方、装飾部品の形状及び大きさは限定されず又材質も自由であり、素人であっても簡単に取付・取外しができる。特に、宝石をあしらった装飾部品を取付ける場合、該宝石にキズを付けることもない。
【実施例】
【００１２】
図１は本考案に係るメガネフレームのツル１を示し、(ａ)は装飾部品が取付けられる前の状態を、(ｂ)は装飾部品２，２・・が取付けられたツル１を表している。ツル１の端部９は三角形を成し、ツル端３の中間から小さな穴１０が長手方向に延びて設けられ、該穴１０には細いピン４を挿通することが出来る。
【００１３】
三角形をしたツル端部９には切抜き空間５ａ，５ｂが形成され、この切抜き空間５ａにはボール状の装飾部品２，２・・が穴１０に挿通したピン４に取付けられている。すなわち、装飾部品２の中心にはピン穴が貫通し、このピン穴にピン４が嵌って取付けられる。図２はツル端部９の穴１０にピン４が挿通した場合の拡大図を示しているように、ピン４はツル端３から穴１０に挿入され、先端は切抜き空間５ａ，５ｂの間に設けている中桟６に形成した穴１０に嵌っている。
【００１４】
そして穴１０に挿入されたピン４が抜けないように止ネジ７が穴１０の入口に設けたネジ穴に螺合している。ところで、切抜き空間５ａにピン４を軸として取付けられているボール状の装飾部品２，２・・は、その取付け構造が外観上は分からない。すなわち、ピン４はツル端部９に形成した穴１０、及び装飾部品２，２・・のピン穴に挿通している為に、該ピン４は表面化しない。
【００１５】
図３は本考案の他の実施例であり、(ａ)は装飾部品８が取付けられる前の状態を、(ｂ)は装飾部品８がツル端部９に取付けられている場合を表している。ツル端部９にはツル端３から小さな穴１０が長手方向に延びて設けられ、この穴１０にはピン４を挿入することが出来、穴入口に設けたネジ穴には止ネジ７が螺合してピン４の抜け止めとしている。
【００１６】
装飾部品８の裏側には止着部１１が突出し、この止着部１１はツル１の端部に形成した位置決め穴に嵌合することが出来る。ツル１の表面には装飾片１２が突出して設けられ、ツル１の位置決め穴に嵌った装飾部品８は上記装飾片１２と組み合わされ、そしてツル端３から挿入したピン４は止着部１１の貫通穴に嵌入して取付けられる。
【００１７】
装飾部品８は(ｂ)に示すように、装飾片１２と組み合わされると共に、ツル１と調和したものとなる。装飾部品８を取付けるピン４は表面化することなく取付けられる。ところで、上記装飾部品８のベース１３には宝石１４が取着され、止着部１１はベース底から突出して設けられている。このように、宝石１４を備えた装飾部品８であっても、位置決め穴に止着部１１を嵌合した状態でピン４を差し込むことで取付けることが出来、宝石１４の表面には如何なるキズを付けることもない。従来のようなカシメにてツルに固定する場合には、止着部をカシメる際の受けが宝石に当ってキズが付く。
【００１８】
図４は角錐台形をした装飾部品１５をツル端部表面に取付けた場合である。取付け構造は前記図３の実施例の場合と同じように、裏面に突出した止着部を位置決め穴に嵌め、ツル端３からピン４を挿入すると共に止ネジ７にて止着している。本考案では、ピンを介して装飾部品を取付ける構造である為に、止ネジを弛めてピンを抜き取ることで、該装飾部品を手軽に交換することが可能である。
【図面の簡単な説明】
【００１９】
【図１】(ａ)はメガネフレームのツル、(ｂ)は装飾部品を取付けたツル。
【図２】ツル端部の拡大図。
【図３】(ａ)はメガネフレームのツル、(ｂ)は装飾部品を取付けたツル。
【図４】装飾部品を取付けたツル。
【符号の説明】
【００２０】
１  ツル
２  装飾部品
３  ツル端
４  ピン
５  切抜き空間
６  中桟
７  止ネジ
８  装飾部品
９  ツル端部
10  穴
11  止着部
12  装飾片
13  ベース
14  宝石
15  装飾部品
【図１】
0003102242.tif 000003
【図２】
0003102242.tif 000004
【図３】
0003102242.tif 000005
【図４】
0003102242.tif 000006